(57)【要約】      （修正有）【課題】  シャッターや窓や扉等の開閉部を覆い閉塞することで防音，防塵，防風，防湿，断熱効果等を得ることができ、しかも開閉部の閉塞状態から簡単にカバー体を開放して開閉部からの出入等を行うことができる開閉部に設けるカバー装置を提供すること。【解決手段】  シャッター１Ａ等の開閉部１周囲の取付部の上部よりカバー体２を垂下し、このカバー体２の左右端部に、この左右端部を前記取付部の左右部に対し開閉着脱自在に連結するスライドファスナー３を設け、この各スライドファスナー３は、スライダー３Ａの上動により開放し下動により閉塞して、この開放によりカバー体２の左右端部が前記取付部の左右部から離脱してこのカバー体２を開放し得るように設け、このカバー体２の下端に、巻上げ体４を設け、この巻上げ体４を回転させてカバー体２を巻上げする巻上げ手段５と、前記スライダー３Ａを上動せしめるスライダー上動手段６とを備える構成とする。【選択図】      図４
2007077710.tif 000002
【特許請求の範囲】
【請求項１】
シャッターや窓や扉等の開閉部を、この開閉部と並設状態にして開閉自在に覆い閉塞することにより二重閉塞構造として防音，防塵，防風，防湿，断熱効果等を得る開閉部に設けるカバー装置であって、前記開閉部周囲の取付部の上部にカバー体を巻上げ自在に垂下し、このカバー体の左右端部に、このカバー体の左右端部を前記開閉部周囲の前記取付部の左右部に対し開閉着脱自在に連結するスライドファスナーを設けると共に、この各スライドファスナーは、スライダーが上動することで開放し下動することで閉塞する構成として、各スライダーを上動して左右のスライドファスナーを開放することでカバー体の左右端部が前記取付部の左右部から離脱してこのカバー体を開閉部に対し開放し得るように設け、このカバー体の下端に巻上げ体を設けて、前記左右のスライドファスナーを開放したこのカバー体を、巻上げ体を回転することで上方へ巻上げし得るように構成し、この巻上げ体を回転させてカバー体を巻上げする巻上げ手段を備え、前記スライドファスナーのスライダーを上動せしめるスライダー上動手段を備えるか若しくはスライダーを前記巻上げ手段により上動せしめる構成としたことを特徴とする開閉部に設けるカバー装置。
【請求項２】
前記巻上げ手段は、前記巻上げ体を上方へ持ち上げする持ち上げ機構を設け、この持ち上げ機構は、巻上げ体の持ち上げ時に巻上げ体に回転力を付与する構成として、この巻上げ体が前記カバー体を巻上げし得るように設けたことを特徴とする請求項１記載の開閉部に設けるカバー装置。
【請求項３】
前記スライドファスナーのスライダーを上動せしめるスライダー上動手段を備え、このスライダー上動手段による前記スライダーの上動と前記巻上げ手段による前記カバー体の巻上げとを略同時に開始操作する操作手段を備え、前記スライダー上動手段によるスライダーの上動開始位置を、前記巻上げ手段による前記巻上げ体の巻上げ開始位置よりもやや上方に設定構成して、前記操作手段により巻上げ手段とスライダー上動手段を開始操作した際、スライダーが巻上げ体よりも常に上方に位置しつつ上動して、スライダーの上動によりスライドファスナーが開放した部位のカバー体が巻上げ体に巻上げられるように構成したことを特徴とする請求項１，２のいずれか１項に記載の開閉部に設けるカバー装置。
【請求項４】
前記巻上げ手段による前記カバー体の巻上げ速度と、前記スライダー上動手段による前記スライドファスナーのスライダーの上動速度とを略等速度に維持する速度合わせ手段を、前記巻上げ手段に設けるか若しくは前記スライダー上動手段に設けるか若しくは巻上げ手段とスライダー上動手段の双方に設けたことを特徴とする請求項１〜３のいずれか１項に記載の開閉部に設けるカバー装置。
【請求項５】
前記巻上げ手段は、前記開閉部周囲の取付部の上部に巻上げ用ロープの一端を止着し、この巻上げ用ロープの他側を前記カバー体の表裏いずれか一側へ垂下し、この垂下した巻上げ用ロープの途中部を前記巻上げ体に当接すると共に巻上げ用ロープの他端をカバー体の他側へ配設し、このカバー体の他側へ配設した巻上げ用ロープの他端を引動することで巻上げ体が上方へ持ち上げられ、且つ巻上げ用ロープ途中部に当接する前記巻上げ体がこの巻上げ用ロープの引動により回転力を付与される持ち上げ機構を設けて構成したことを特徴とする請求項１〜４のいずれか１項に記載の開閉部に設けるカバー装置。
【請求項６】
前記各スライドファスナーのスライダーに滑車を設け、この滑車に装着した上動用ロープを引動することによりスライダーを上動させる前記スライダー上動手段を構成して、この上動用ロープの引動により滑車を介して上動するスライダーの上動速度と、前記巻上げ用ロープの引動により回転しながら上動する前記巻上げ体の上動速度とが略等速度となる前記速度合わせ手段を構成したことを特徴とする請求項５記載の開閉部に設けるカバー装置。
【請求項７】
前記開閉部を前記カバー体が覆い閉塞し且つ前記各スライダーが最降下位置に存している閉塞状態では、この各スライダーが前記巻上げ体よりもやや上方に位置するように設定構成すると共に、前記巻上げ用ロープと前記上動用ロープとが略弛みのない状態で巻上げ体と前記滑車とに接するようにこの巻上げ用ロープと上動用ロープの長さ寸法を設定し、この巻上げ用ロープと上動用ロープとを同時に引動操作する前記操作手段を備え、この操作手段により前記巻上げ手段と前記スライダー上動手段を開始操作すると、前記各スライダーと前記巻上げ体とが略同時に上昇移動を開始すると共に、前記速度合わせ手段により各スライダーと巻上げ体とが略等速度で上動し、各スライダーが上動することで各スライドファスナーが開放することに続いて、開放した部位のカバー体が巻上げ体に巻上げられるように構成したことを特徴とする請求項６記載の開閉部に設けるカバー装置。
【発明の詳細な説明】
【技術分野】
【０００１】
本発明は、シャッターや窓や扉等の開閉部を、この開閉部と並設状態にして開閉自在に覆い閉塞し、二重閉塞構造として防音，防塵，防風，防湿，断熱効果等を得る開閉部に設けるカバー装置に関するものである。
【背景技術】
【０００２】
建物への車両の出入口や、荷物の搬出入口として設けられる開閉部には、シャッターが多用されている。
【発明の開示】
【発明が解決しようとする課題】
【０００３】
シャッターは断熱性能が不十分なつくりのものが多く、また、閉めた状態でも隙間風等が出入し易いため、建物内のシャッター付近の環境は、夏場は非常に暑く、冬場は非常に寒い。
【０００４】
そのため、特に室内面積の広い工場等では、シャッターの断熱性の悪さが原因で冷暖房効率がなかなか上がらず、費用だけがかさんでしまうという問題があった。
【０００５】
また、シャッターは、遮音効果も不十分であるため、外の車両の走行音などが煩く感じられたり、工場内の騒音が外部に漏れ易い等の問題もある。
【０００６】
本発明は、このような問題点に注目し、これを解決しようとするもので、シャッターや窓や扉等の開閉部を、この開閉部と並設状態にして開閉自在に覆い閉塞することで防音，防塵，防風，防湿，断熱効果等を得ることができ、しかも開閉部の閉塞状態から簡単にカバー体を開放して開閉部からの出入等を行える実用性に秀れた開閉部に設けるカバー装置を提供するものである。
【課題を解決するための手段】
【０００７】
添付図面を参照して本発明の要旨を説明する。
【０００８】
シャッター１Ａや窓や扉等の開閉部１を、この開閉部１と並設状態にして開閉自在に覆い閉塞することにより二重閉塞構造として防音，防塵，防風，防湿，断熱効果等を得る開閉部に設けるカバー装置であって、前記開閉部１周囲の取付部の上部にカバー体２を巻上げ自在に垂下し、このカバー体２の左右端部に、このカバー体２の左右端部を前記開閉部１周囲の前記取付部の左右部に対し開閉着脱自在に連結するスライドファスナー３を設けると共に、この各スライドファスナー３は、スライダー３Ａが上動することで開放し下動することで閉塞する構成として、各スライダー３Ａを上動して左右のスライドファスナー３を開放することでカバー体２の左右端部が前記取付部の左右部から離脱してこのカバー体２を開閉部１に対し開放し得るように設け、このカバー体２の下端に巻上げ体４を設けて、前記左右のスライドファスナー３を開放したこのカバー体２を、巻上げ体４を回転することで上方へ巻上げし得るように構成し、この巻上げ体４を回転させてカバー体２を巻上げする巻上げ手段５を備え、前記スライドファスナー３のスライダー３Ａを上動せしめるスライダー上動手段６を備えるか若しくはスライダー３Ａを前記巻上げ手段５により上動せしめる構成としたことを特徴とする開閉部に設けるカバー装置に係るものである。
【０００９】
また、前記巻上げ手段５は、前記巻上げ体４を上方へ持ち上げする持ち上げ機構15を設け、この持ち上げ機構15は、巻上げ体４の持ち上げ時に巻上げ体４に回転力を付与する構成として、この巻上げ体４が前記カバー体２を巻上げし得るように設けたことを特徴とする請求項１記載の開閉部に設けるカバー装置に係るものである。
【００１０】
また、前記スライドファスナー３のスライダー３Ａを上動せしめるスライダー上動手段６を備え、このスライダー上動手段６による前記スライダー３Ａの上動と前記巻上げ手段５による前記カバー体２の巻上げとを略同時に開始操作する操作手段８を備え、前記スライダー上動手段６によるスライダー３Ａの上動開始位置を、前記巻上げ手段５による前記巻上げ体４の巻上げ開始位置よりもやや上方に設定構成して、前記操作手段８により巻上げ手段５とスライダー上動手段６を開始操作した際、スライダー３Ａが巻上げ体４よりも常に上方に位置しつつ上動して、スライダー３Ａの上動によりスライドファスナー３が開放した部位のカバー体２が巻上げ体４に巻上げられるように構成したことを特徴とする請求項１，２のいずれか１項に記載の開閉部に設けるカバー装置に係るものである。
【００１１】
また、前記巻上げ手段５による前記カバー体２の巻上げ速度と、前記スライダー上動手段６による前記スライドファスナー３のスライダー３Ａの上動速度とを略等速度に維持する速度合わせ手段７を、前記巻上げ手段５に設けるか若しくは前記スライダー上動手段６に設けるか若しくは巻上げ手段５とスライダー上動手段６の双方に設けたことを特徴とする請求項１〜３のいずれか１項に記載の開閉部に設けるカバー装置に係るものである。
【００１２】
また、前記巻上げ手段５は、前記開閉部１周囲の取付部の上部に巻上げ用ロープ９の一端を止着し、この巻上げ用ロープ９の他側を前記カバー体２の表裏いずれか一側へ垂下し、この垂下した巻上げ用ロープ９の途中部を前記巻上げ体４に当接すると共に巻上げ用ロープ９の他端をカバー体２の他側へ配設し、このカバー体２の他側へ配設した巻上げ用ロープ９の他端を引動することで巻上げ体４が上方へ持ち上げられ、且つ巻上げ用ロープ９途中部に当接する前記巻上げ体４がこの巻上げ用ロープ９の引動により回転力を付与される持ち上げ機構15を設けて構成したことを特徴とする請求項１〜４のいずれか１項に記載の開閉部に設けるカバー装置に係るものである。
【００１３】
また、前記各スライドファスナー３のスライダー３Ａに滑車10を設け、この滑車10に装着した上動用ロープ11を引動することによりスライダー３Ａを上動させる前記スライダー上動手段６を構成して、この上動用ロープ11の引動により滑車10を介して上動するスライダー３Ａの上動速度と、前記巻上げ用ロープ９の引動により回転しながら上動する前記巻上げ体４の上動速度とが略等速度となる前記速度合わせ手段７を構成したことを特徴とする請求項５記載の開閉部に設けるカバー装置に係るものである。
【００１４】
また、前記開閉部１を前記カバー体２が覆い閉塞し且つ前記各スライダー３Ａが最降下位置に存している閉塞状態では、この各スライダー３Ａが前記巻上げ体４よりもやや上方に位置するように設定構成すると共に、前記巻上げ用ロープ９と前記上動用ロープ11とが略弛みのない状態で巻上げ体４と前記滑車10とに接するようにこの巻上げ用ロープ９と上動用ロープ11の長さ寸法を設定し、この巻上げ用ロープ９と上動用ロープ11とを同時に引動操作する前記操作手段８を備え、この操作手段８により前記巻上げ手段５と前記スライダー上動手段６を開始操作すると、前記各スライダー３Ａと前記巻上げ体４とが略同時に上昇移動を開始すると共に、前記速度合わせ手段７により各スライダー３Ａと巻上げ体４とが略等速度で上動し、各スライダー３Ａが上動することで各スライドファスナー３が開放することに続いて、開放した部位のカバー体２が巻上げ体４に巻上げられるように構成したことを特徴とする請求項６記載の開閉部に設けるカバー装置に係るものである。
【発明の効果】
【００１５】
本発明は上述のように構成したから、シャッターや窓や扉等の開閉部をカバー体で覆い閉塞して二重閉塞構造とすることで、著しい防音，防塵，防風，防湿，断熱効果等を得ることができ、しかも、巻上げ手段若しくは巻上げ手段とスライダー上動手段とによりカバー体を巻上げて、開閉部の使用に支障とならない状態にできる簡易構造の極めて実用性に秀れた画期的な開閉部に設けるカバー装置となる。
【００１６】
また、請求項２記載の発明においては、巻上げ体がカバー体を確実に巻上げしつつ上動することになる巻上げ手段を簡易に設計実現可能となる。特に、請求項５記載の発明のように構成することにより、前記効果を確実に発揮する持ち上げ機構付の巻上げ手段を簡易構成にして容易に設計実現可能となる上、巻上げ用ロープによって回転しつつ上方へ持ち上げられる巻上げ体が滑車と同等の機能を発揮するために、たとえ手動操作であっても巻上げ用ロープの引動操作を軽い力で容易に行うことが可能となるなど、一層実用性に秀れた構成の開閉部に設けるカバー装置となる。
【００１７】
また、請求項３記載の発明においては、操作手段を操作するだけの簡単な操作で、スライダー上動手段によるスライダーの上動と巻上げ手段によるカバー体の巻上げとを略同時に開始操作することができる上、スライダー上動手段によるスライダーの上動開始位置を、巻上げ手段による巻上げ体の巻上げ開始位置よりもやや上方に設定構成して、操作手段により巻上げ手段とスライダー上動手段を開始操作した際、スライダーが巻上げ体よりも常に上方に位置しつつ上動する構成としたため、確実にスライドファスナーが開放した部位のカバー体が巻上げ体に巻上げられて、このカバー体の巻上げが良好に行われることになる一層実用性に秀れた構成の開閉部に設けるカバー装置となる。
【００１８】
また、請求項４記載の発明においては、例えば、スライダーのやや下方から後を追うように略等速度で巻上げ体がカバー体を巻上げるように設定構成することで、カバー体の巻上げが良好に且つ確実に行われると共に、このカバー体は、その左右端部が巻上げ体に巻上げられる直前まで開閉部周囲の取付部の左右部とスライドファスナーを介して一体化した状態が保持されることになるので、カバー体が巻上げ時に前後に揺れたり捩れたりすることが可及的に阻止されて巻上げ不良箇所を生じるようなことがないなど、極めて実用性に秀れた構成の開閉部に設けるカバー装置となる。特に、請求項６記載の発明のように構成することにより、巻上げ体の巻上げ速度とスライダーの上動速度とを略等速度とする速度合わせ手段を簡易に設計実現可能となり、しかも、スライダーは滑車を介して上動用ロープを引動する構成のため、たとえ手動操作であってもこのスライダーの上動（上動用ロープの引動）操作を軽い力で容易に行うことが可能となるなど、一層実用性に秀れた構成の開閉部に設けるカバー装置となる。
【００１９】
また、請求項７記載の発明においては、操作手段によりスライダー上動手段によるスライダーの上動と巻上げ手段によるカバー体の巻上げとを略同時に開始操作できる構成を簡易に設計実現可能となる上、スライダーのやや下方から後を追うように略等速度で巻上げ体がカバー体を巻上げる構成を簡易に設計実現可能となる一層実用性に秀れた構成の開閉部に設けるカバー装置となる。
【発明を実施するための最良の形態】
【００２０】
好適と考える本発明の実施形態（発明をどのように実施するか）を、図面に基づいて本発明の作用を示して簡単に説明する。
【００２１】
シャッター１Ａや窓や扉等の開閉部１周囲の取付部の上部に、カバー体２を巻上げ自在に垂下し、このカバー体２の左右端部のスライドファスナー３を閉塞することでこのカバー体２の左右端部を開閉部１周囲の取付部の左右部に連結すると、開閉部１と並設状態にしてカバー体２が開閉部１を覆い閉塞し、これにより開閉部１はカバー体２との二重閉塞構造となって防音，防塵，防風，防湿，断熱効果等が著しく向上する。
【００２２】
このように本発明は、開閉部１周囲の取付部の上部にカバー体２を垂下すると共に、取付部の左右部にカバー体２の左右端部のスライドファスナー３を連結することにより、開閉部１に対する二重閉塞構造とできる簡易構造のため、開閉部１に対する実現化が容易であり、また、既存の建物の開閉部１への後付も容易に可能である。
【００２３】
また、開閉部１を開放したり、開閉部１から出入したい場合には、このカバー体２を巻上げて開放することができる。
【００２４】
具体的には、巻上げ手段５によりスライドファスナー３のスライダー３Ａを上動すると共に巻上げ体４を回転させてカバー体２を巻上げするか、若しくはスライダー上動手段６によりスライドファスナー３のスライダー３Ａを上動すると共に、巻上げ手段５により巻上げ体４を回転させてカバー体２を巻上げすることができ、開閉部１を露出させることができる。
【００２５】
例えば、この巻上げ手段５は、前記巻上げ体４を上方へ持ち上げする持ち上げ機構15を設け、この持ち上げ機構15は、巻上げ体４持ち上げ時に巻上げ体４に回転力を付与する構成とすることにより、巻上げ体４を持ち上げつつ確実に前記カバー体２を上方へ巻上げし得ることになる。
【００２６】
更に具体的には、例えば、前記開閉部１周囲の取付部の上部に巻上げ用ロープ９の一端を止着し、この巻上げ用ロープ９の他側を前記カバー体２の表裏いずれか一側へ垂下し、この垂下した巻上げ用ロープ９の途中部を前記巻上げ体４に当接すると共に、巻上げ用ロープ９の他端をカバー体２の他側へ配設し、このカバー体２他側へ配設した巻上げ用ロープ９の他端を引動することで巻上げ体４が上方へ持ち上げられ、且つ巻上げ用ロープ９途中部に当接する前記巻上げ体４が巻上げ用ロープ９の引動により回転力が付与される前記持ち上げ機構15を構成することにより、前記作用・効果を確実に発揮する簡易構造の巻上げ手段５を設計実現可能である。また、この構成によると、巻上げ用ロープ９によって回転しつつ上方へ持ち上げられる巻上げ体４が滑車と同等の作用を奏するために、この巻上げ用ロープ９の上方への引動操作は、たとえ手動であっても軽い力で容易に行うことが可能となる。
【００２７】
また、例えば、前記スライドファスナー３のスライダー３Ａを上動せしめるスライダー上動手段６を備え、このスライダー上動手段６による前記スライダー３Ａの上動と前記巻上げ手段５による前記カバー体２の巻上げとを略同時に開始操作する操作手段８を備え、前記スライダー上動手段６によるスライダー３Ａの上動開始位置を、前記巻上げ手段５による前記巻上げ体４の巻上げ開始位置よりもやや上方に設定構成して、前記操作手段８により巻上げ手段５とスライダー上動手段６を開始操作した際、スライダー３Ａが巻上げ体４よりも常に上方に位置しつつ上動するように構成すれば、スライダー３Ａの上動により確実に左右端部のスライドファスナー３が開放した部位のカバー体２が巻上げ体４に巻上げられるので、このカバー体２の巻上げが良好に行われることになる。
【００２８】
更に、例えば、前記巻上げ手段５による前記カバー体２の巻上げ速度と、前記スライダー上動手段６による前記スライドファスナー３のスライダー３Ａの上動速度とを略等速度に維持する速度合わせ手段７を、前記巻上げ手段５に設けるか若しくは前記スライダー上動手段６に設けるか若しくは巻上げ手段５とスライダー上動手段６の双方に設ければ、各スライダー３Ａと巻上げ体４とは略等速度で上動するが、上記したように各スライダー３Ａが前記巻上げ体４よりもやや上方に位置するように設定構成することにより、常に各スライダー３Ａが巻上げ体４よりやや上方に位置する関係を保ったまま双方が上動することになる。
【００２９】
即ち、巻上げ体４よりやや上方に位置する各スライダー３Ａが上動することに引き続いて、このスライダー３Ａのやや下方から後を追うように略等速度で巻上げ体４がカバー体２を巻上げるので、このカバー体２は巻上げ体４に巻上げられる直前まで前記開閉部１周囲の取付部の左右部に連結した状態が保持されることとなり、これによりカバー体２が巻上げ時に前後に揺れたり捩れたりしにくいために巻上げ不良箇所を生じにくく、きれいに巻上がることになる。
【００３０】
また、例えば、前記各スライドファスナー３のスライダー３Ａに滑車10を設け、この滑車10に装着した上動用ロープ11を引動することによりスライダー３Ａを上動させる前記スライダー上動手段６を構成すれば、前記巻上げ用ロープ９の引動により回転しながら上動する前記巻上げ体４は、滑車と同等の作用を奏するため、前記上動用ロープ11の引動により滑車10を介して上動するスライダー３Ａの上動速度と、巻上げ体４の上動速度とが略等速度となり、前記速度合わせ手段７を簡易に実現できる。また、この場合、滑車10を使用するためにスライダー３Ａの上動操作、即ち上動用ロープ11の引動操作を、たとえ手動であっても軽い力で行うことができ、更に、前記した巻上げ体４を滑車のようにしてカバー体２を巻上げする構成をも併用すれば、このカバー体２の巻上げ操作を手動であっても軽い力で簡単に行えることとなる。
【実施例】
【００３１】
本発明の具体的な実施例について図面に基づいて説明する。
【００３２】
本実施例は、開閉部１として建物に設けられるシャッター１Ａを採用し、このシャッター１Ａを建物の内側からシャッター１Ａと並設状態にしてカバー体２で覆い閉塞することで、二重閉塞構造とするカバー装置を構成した場合を示している。
【００３３】
具体的には、本実施例は、シャッター１Ａ（開閉部１）の周囲に設けた取付部の上部にカバー体２を密着固定してこのカバー体２を巻上げ自在に垂下している。尚、このカバー体２上部の前記取付部の上部への密着固定手段は、適宜設計変更可能である。
【００３４】
取付部は、例えば、シャッター１Ａの周囲の上部及び左右部に存するシャッター取付枠や壁面や天上面を利用して構成すると良い。また、シャッター１Ａの周囲に特別な取付部を設けても良い。
【００３５】
カバー体２は、シャッター１Ａの高さ幅と横幅よりもやや大きい高さ幅寸法と横幅寸法とを有する略方形状の軟質製シート（例えばビニールシート）を採用して、図１に示すように、このカバー体２でシャッター１Ａの全面を覆い閉塞し得るように構成している。
【００３６】
また、このカバー体２の左右端部に、この左右端部を前記シャッター１Ａ周囲の取付部の左右部に対し開閉着脱自在に連結するスライドファスナー３（ジッパー）を備えると共に、このスライドファスナー３は、スライダー３Ａが上動することで開放し下動することで閉塞する構成として、この左右のスライドファスナー３のスライダー３Ａを上動し開放することでカバー体２の左右端部が前記取付部の左右部から離脱してこのカバー体２をシャッター１Ａに対し開放し得るように設けている。
【００３７】
更に詳しくは、スライドファスナー３は、カバー体２の左右端部の上下長さ幅と略同じ長さ寸法を有するオープンファスナー３（ジッパー）を採用し、このオープンファスナー３の一側のシール部を前記カバー体２の左右端部に密着固定し、他側のシール部を前記シャッター１Ａ周囲の取付部の左右部に密着固定した構成としている。尚、このスライドファスナー３の、カバー体２左右端部及び前記取付部の左右部への密着固定手段は、適宜設計変更可能である。
【００３８】
また、本実施例では、カバー体２の下端に巻上げ体４を付設して、前記左右のスライドファスナー３を開放したこのカバー体２を、この巻上げ体４を回転することで上方へ巻上げし得るように構成している。
【００３９】
具体的には、巻上げ体４は、カバー体２の下端を折り返し止着して横長の収納部４Ａを形成し、この収納部４Ａ内にカバー体２の左右幅と略同じ長さ寸法を有する丸棒（丸パイプ）を採用した芯材４Ｂを収納配設して構成している。
【００４０】
また、この巻上げ体４は、適度に重さのある芯材４Ｂを採用し、カバー体２を巻上げた状態の保持を解除すると、この巻上げ体４が自重により自動的に回転下動してカバー体２が展開し、シャッター１Ａを閉塞する構成としている。また、この巻上げ体４の重さは、後述する巻上げ用ロープ９を操作手段８により操作者が引動する際にさほど強い力を要することなく、且つ巻上げ体４の自重回転下動が危険な降下速度とならない程度の重さに設定することが好ましい。
【００４１】
本実施例では、巻上げ体４を回転させてカバー体２を巻上げする巻上げ手段５を備えている。
【００４２】
具体的には、巻上げ手段５は、前記巻上げ体４を上方へ持ち上げする持ち上げ機構15を設け、この持ち上げ機構15は、巻上げ体４の持ち上げ時に巻上げ体４に回転力を付与する構成としている。
【００４３】
更に詳しくは、この巻上げ体４の外面（収納部４Ａの外面）に巻上げ用ロープ９の途中部を当接して、この巻上げ用ロープ９の一端を前記カバー体２の裏側へ、他端をカバー体２の表側へ配設し、この巻上げ用ロープ９の一端を前記シャッター１Ａ周囲の取付部の上部に止着し、他端を前記取付部の上部に設けた滑車12に装着している。
【００４４】
そして、この滑車12に装着した巻上げ用ロープ９の他端を引動すると、図２に示すように巻上げ用ロープ９の途中部が上方へ引き上げられ、この際、巻上げ用ロープ９の途中部が当接している巻上げ体４（収納部４Ａ）を摩擦してこの巻上げ体４に回転力が付与されることになり、これにより巻上げ体４が回転しながら上動して前記カバー体２が巻上げ体４により巻上げられるように構成している。
【００４５】
また、前記シャッター１Ａ周囲の取付部の上部（天上部）に取付環13を吊設固定し、この取付環13に前記滑車12を付設している。そして、この取付環13にカバー体２の裏側に配して上方へ伸ばした巻上げ用ロープ９の一端を止着し、前記滑車12にカバー体２の表側に配して上方へ伸ばした巻上げ用ロープ９の他端を装着している。
【００４６】
また、この滑車12付の前記取付環13を、前記取付部の上部左右部に固定し、この左右の取付環13と滑車12とに夫々別個の巻上げ用ロープ９を上記のように装備している。即ち、この左右の巻上げ用ロープ９を引動することで、巻上げ体４の左右位置を巻上げ用ロープ９で支持して巻上げ体４を傾きにくい安定状態で上動させることができるように構成している。
【００４７】
尚、この左右に配した巻上げ用ロープ９は、巻上げ体４（収納部４Ａ）への当接位置が巻上げ体４の左右端部側に寄りすぎると、巻上げ体４に巻上げられたカバー体２の中央部分が弛んでしまい易くなるため、適度に内寄りの位置に当接するように構成して巻上げ時の弛みを生じにくくすることが好ましい。
【００４８】
また、本実施例では、前記スライドファスナー３のスライダー３Ａを上動せしめるスライダー上動手段６を備えている。
【００４９】
また、前記巻上げ手段５による前記カバー体２の巻上げ速度と、前記スライダー上動手段６による前記スライドファスナー３のスライダー３Ａの上動速度とを略等速度に維持する速度合わせ手段７を、巻上げ手段５とスライダー上動手段６の双方に設けている。
【００５０】
具体的には、各スライドファスナー３のスライダー３Ａに夫々滑車10を設け、この各スライダー３Ａの滑車10に夫々上動用ロープ11を装着し、この各上動用ロープ11の一端を前記シャッター１Ａ周囲の取付部の上部左右部に設けた止着具14に夫々止着し、他端を前記取付部の上部左右部に設けた滑車16に夫々装着し、この各滑車16に装着した各上動用ロープ11の他端を引動することで、各滑車10が上方へ引き上げられて前記各スライダー３Ａが上昇移動するように構成している。
【００５１】
更に詳しくは、前記シャッター１Ａ周囲の取付部の上部（天上部）の左右部であって、前記左右の各取付環13よりも外側位置となる各スライドファスナー３の略真上位置に止着具14としての止着環14を吊設固定し、この止着環14に前記滑車16を付設している。
【００５２】
また、この上動用ロープ11は、カバー体２の表側に配設している。
【００５３】
従って、前記巻上げ用ロープ９の引動により回転しながら上動する前記巻上げ体４は、滑車と同等の作用を奏するため、この巻上げ体４の上動速度と、前記上動用ロープ11の引動により滑車10を介して上動するスライダー３Ａの上動速度とが略等速度となる前記速度合わせ手段７を構成している。
【００５４】
また、本実施例では、前記巻上げ手段５による前記カバー体２の巻上げと、前記スライダー上動手段６による前記スライドファスナー３のスライダー３Ａの上動とを同時に開始操作する操作手段８を備えている。
【００５５】
具体的には、操作手段８は、二本の前記巻上げ用ロープ９の他端と、二本の前記上動用ロープ11の他端とに集束具17を付設し、この集束具17に環状の引手部18を付設してこの引手部18を操作者が引動操作することで巻上げ手段５とスライダー上動手段６とを作動（巻上げ用ロープ９の他端と上動用ロープ11の他端とを引動して巻上げ体４とスライダー３Ａとを上動）する構成としている。
【００５６】
また、この集束具17は、図面ではシャッター１Ａの上部右端に位置するように設け、引手部18を操作者が下方へ引動する構成としている。図中符号19は各巻上げ用ロープ９と各上動用ロープ11の他側を挿通してこの各巻上げ用ロープ９他端と各上動用ロープ11他端の引動方向を変更するＬ形パイプ状の挿通部材であり、この挿通部材19により大きな抵抗を生じることなく、水平方向に伸ばした各巻上げ用ロープ９と各上動用ロープ11の他側を下方へと方向を変えて引動し得る構成としている。
【００５７】
また、本実施例では、前記スライダー上動手段６によるスライダー３Ａの上動は、前記巻上げ手段５による前記巻上げ体４の巻上げ開始位置よりもやや上方位置から上動開始する構成として、スライダー３Ａの上動によりスライドファスナー３が開放した部位のカバー体２が前記巻上げ体４により巻上げられるように構成している。
【００５８】
具体的には、前記操作手段８を引動せずに前記シャッター１Ａを前記カバー体２が閉塞し且つ前記各スライダー３Ａが最降下位置に存している閉塞状態（図１の状態）では、この各スライダー３Ａが前記巻上げ体４よりもやや上方に位置するように設定構成すると共に、巻上げ用ロープ９と上動用ロープ11とが略弛みのない張設状態で関係各部に接するようにこの巻上げ用ロープ９と上動用ロープ11との長さ寸法を設定構成している。尚、例えば、前記滑車12と前記滑車16とに、巻上げ用ロープ９と上動用ロープ11との張り具合を調整可能なマウント構造を設けても良く、このように構成すると、各ロープ９・11の経年使用による弛みにも対応できるし、シャッター１Ａへの本カバー装置設置時のロープ張設作業を容易に行うことができることになるため、非常に実用的となる。
【００５９】
従って、前記操作手段８を引動すると、巻上げ用ロープ９と上動用ロープ11の他端が引動されて左右の各スライダー３Ａが上昇移動すると共に、この各スライダー３Ａの上昇速度と略等速度で巻上げ体４が回転しながら上動する（図３参照。）。
【００６０】
また、この際、各スライドファスナー３のスライダー３Ａの上動と巻上げ体４の上動は、操作手段８の引動操作により略同時に開始するが、前記閉塞状態において、各スライダー３Ａが前記巻上げ体４よりもやや上方に位置するように設定構成しているために、各スライダー３Ａと巻上げ体４とは前記したように略等速度で上動するが、常に各スライダー３Ａが巻上げ体４よりやや上方に位置する関係を保ったまま上動することになる（図３，図４参照。）。
【００６１】
即ち、このスライダー３Ａのやや下方から後を追うように略等速度で巻上げ体４がカバー体２を巻上げるので、このカバー体２は左右端部が巻上げ体４に巻上げられる直前までシャッター１Ａ周囲の取付部の左右部にスライドファスナー３を介して一体化した状態が保持されることとなり、これによりカバー体２が巻上げ時に前後に揺れたり捩れたりすることが可及的に阻止されて、巻上げ不良箇所を生じるようなことなく確実に且つきれいに巻上がることになる構成としている。
【００６２】
また、本実施例では、閉塞状態で巻上げ体４がシャッター１Ａ近傍の床面や地面に当接した状態（図１の状態）となり、且つ開放状態でシャッター１Ａの上端部までが完全に露出する高さまでカバー体２が巻上げられた状態となるように、関係各部を設定構成している。
【００６３】
尚、図示していないが、このカバー体２を巻上げた開放状態を保持しておくための適宜な保持手段を設ける。この保持手段は、適宜設計変更可能であるが、例えば、開放状態で前記引手部18を掛止めておけるような構成や、引動した巻上げ用ロープ９と上動用ロープ11とを結び止めておけるような構成を採用すると、簡易に設計実現可能である。
【００６４】
閉塞状態に戻すには、保持手段を解除する。すると、巻上げ体４は重さがあるため、自重によりカバー体２を展開しながら回転下動し、自動的にシャッター１Ａを覆う状態となる。後は、スライドファスナー３のスライダー３Ａを下動させてスライドファスナー３を閉塞すれば良い。尚、この際、スライドファスナー３のスライダー３Ａを下動させるための道具を用意したり、スライダー３Ａに下動（引動）用のロープを連結しておくと、この道具や下動用ロープを使用してスライダー３Ａの下動操作を容易に行うことができる。
【００６５】
従って、このように構成した本実施例によれば、シャッター１Ａの内側であって少なくともこのシャッター１Ａの周囲の取付部の上部及び左右部に密着固定したカバー体２により、秀れた防音，防塵，防風，防湿，断熱効果等が得られる。
【００６６】
出願人が実際に工場のシャッター１Ａに設置したところ、防音，防塵，防風，防湿，断熱効果等について著しい改善効果が得られた。特に、冷暖房費は本装置設置前に比べて激減し、非常に有効であることが実証されている。
【００６７】
また、スライドファスナー３としてジッパー（チャック）を採用しているため、閉塞連結強度が高く、風が強くカバー体２が隙間風に大きく煽られるような場合であっても簡単に連結解除されてカバー体２が開いてしまうようなことがなく、信頼性が高い。
【００６８】
また、カバー体２が邪魔になる際には、上記のようにして簡単にカバー体２のカバー体２を開放することができるので、シャッター１Ａを開放したり、シャッター１Ａから人が出入したりすることが容易に可能であり、しかも、巻上げ用ロープ９と上動用ロープ11とは滑車10・12・16及び巻上げ体４を介して操作手段８により引動する構成のため、このカバー体２の巻上げ作業は、引手部18を例えば手動で引動するだけの非常に簡単な作業で且つ軽い力で容易に行われることになる。
【００６９】
また、例えば、スライダー３Ａの裏側にも引手を存するスライドファスナー３を採用すれば、シャッター１Ａを建物の外側から開放して建物内に入る際にカバー体２の裏側からもこの引手を利用してスライドファスナー３を開放することができるので、一層実用的となる。
【００７０】
また、カバー体２がシャッター１Ａを覆い閉塞してシャッター１Ａを隠蔽することにより、部屋らしく見える雰囲気を作り出すこともできる。
【００７１】
また、透明なカバー体２を採用してシャッター１Ａやシャッター１Ａ開放時の屋外の景色等が見えるようにしても良い。
【００７２】
また、シャッター１Ａを閉塞するカバー体２の動き（風の煽られ方）によって建物外の風向きを知ることができる。
【００７３】
尚、本発明は、本実施例に限られるものではなく、各構成要件の具体的構成は適宜設計し得るものである。
【００７４】
例えば、本実施例では、開閉部１としてシャッター１Ａを採用した場合を示したが、窓や玄関扉やその他の建物内部と外部とを連通開閉可能な部位を開閉部１として採用しても良い。
【００７５】
また、本実施例では、開閉部１（シャッター１Ａ）の内側にカバー体２を設置した場合を示したが、開閉部１の外側にカバー体２を並設状態に設置する構成としても良い。
【００７６】
また、本実施例では、巻上げ体４を回転させてカバー体２を巻上げする巻上げ手段５と、スライドファスナー３のスライダー３Ａを上動させるスライダー上動手段６とを備えた場合を示したが、スライダー上動手段６を備えずに、巻上げ体４と共にスライダー３Ａをも上動させる巻上げ手段５を備える構成を採用しても良いし、巻上げ手段５を備えずに、スライダー３Ａと共に巻上げ体４を上動させるスライダー上動手段６を備える構成を採用しても良い。
【図面の簡単な説明】
【００７７】
【図１】本実施例の使用状態（閉塞状態）を示す説明正面図である。
【図２】本実施例の巻上げ体の巻上げ作動を示す部分拡大説明図である。
【図３】図１の状態から、操作手段を少し引動してカバー体を巻上げした様子を示す説明正面図である。
【図４】図３の状態から、更に操作手段を引動してカバー体を巻上げした様子を示す説明正面図である。
【符号の説明】
【００７８】
１  開閉部
１Ａ  シャッター
２  カバー体
３  スライドファスナー
３Ａ  スライダー
４  巻上げ体
５  巻上げ手段
６  スライダー上動手段
７  速度合わせ手段
８  操作手段
９  巻上げ用ロープ
10  滑車
11  上動用ロープ
15  持ち上げ機構
【図１】
2007077710.tif 000003
【図２】
2007077710.tif 000004
【図３】
2007077710.tif 000005
【図４】
2007077710.tif 000006